(57)【要約】【課題】電源オン時に、記録メデイアの蓋が開かないように、構造的にロックし、記録メディアの作動中の破損を防止する。。【解決手段】電源スイッチのオン・オフに応じて記録メデイア保持部の蓋の開閉をロック・アンロックする。例えば、可動グリップ１３の動作により電源スイッチのオン・オフを行うようにし、電源オンのとき、記録メディアの蓋２０が開かないように可動グリップ１３で保持する。【選択図】        図１
2004234487.tif 000002
【特許請求の範囲】
【請求項１】
電源スイッチのオン・オフに応じて記録メデイア保持部の蓋の開閉をロック・アンロックする位置に、電源スイッチのオン・オフ操作部を配設したことを特徴とする記録メデイア保護機構。
【発明の詳細な説明】
【０００１】
【発明の属する技術分野】
本発明は、デジタルカメラ等の記録メデイア保護機構に関する。
【０００２】
【従来の技術】
近年、情報記憶部として固体メモリを内蔵している着脱自在のメモリカードを利用する各種の電子機器が市販されている。この種の電子機器において、メモリカ−ドを使用するには、メモリカ−ドを機器に装着し、メモリカ−ド側コネクタ部と機器側コネクタとを電気的接続状態にすることが必要である。この電気的接続状態で、メモリカ−ドと機器間の電気的処理が行われ、データの授受が可能となる。
【０００３】
従来の電子機器においては、機器に装着されているメモリカ−ドを取り出す場合、一般に、イジェクト釦を押圧してメモリカ−ドのコネクタの電気的接続を解除して、メモリカードを取り出し可能状態にする。ところが、上記コネクタ接続開放時にメモリカ−ドへのデータの書き込み、または、メモリカ−ドからデータの読み取り等の電気的処理を実行中であることもあり得る。このような状態が生じると、メモリカ−ド内の重要なデータが破壊されるおそれがある。
【０００４】
メモリカ−ドの電気的処理実行中にメモリカ−ドを取り出す操作を行ったとしても、メモリカ−ドのデータの破壊等の発生を防止できるメモリカード取り出し装置が知られている。例えばメディア蓋の開閉をスイッチにより検出することによって、開状態で電源をオフするような構造が一般的である。
【０００５】
例えば、装着されたメモリカ−ドを取り出す場合、イジェクト釦スライド操作すると、切り換えスイッチがオンとなり、メモリカ−ドのデータ書き込み、または、読み取りを中止させる処理が実行され、カ−ド蓋が開放状態になる。続いて、イジェクト釦に直交する方向に押圧操作すると、この操作により係止レバーが回動し、メモリカ−ドの係止が解放され、コネクタの接続が解放され、取り出し可能状態になるものがある（例えば、特許文献１参照。）。
【０００６】
また、デジタルカメラに挿入された記録媒体に対するデータの書き込みや読み込みを安全に行うことができるようにするために、デジタルカメラ内に記録媒体を挿入するためのスロットの挿入口に、閉状態において記録媒体の抜き差しを禁止する蓋と、蓋の開閉状態を検出するスイッチとを設け、デジタルカメラと通信を行う制御装置側において、蓋が開いたことを検知したときには、蓋が閉まるまでは記録媒体に対する読み出し動作及び書き込み動作を要求しないようにすることにより、記録媒体の安全を確保できるようにする技術がある（例えば、特許文献２参照。）。
【０００７】
上記従来技術は、通電中のメデイア抜き差し防止を、メデイア蓋開閉の検出機構を設けることで実施しているが、外部衝撃（振動）によるチャタによる電源落ち、検出機構追加によるコストアップ等の問題があり、また、検出機構の誤動作等があった場合にはデータの破壊等を防止することができないので、確実性に乏しいという問題がある。
【０００８】
【特許文献１】
特開平９−３１９６６３号公報（第２−４頁、図２）
【特許文献２】
特開平１０−４２２３１号公報（第２−６頁、図１）
【０００９】
【発明が解決しようとする課題】
本発明は、前述の問題点に鑑み、デジタルカメラに挿入された記録媒体に対して、データの書き込みや読み込みを安全に行うことができるようにすることを目的とする。
【００１０】
本発明は、例えばスライドグリップ等で電源オン・オフを行っているデジタルカメラにおいて、その機構を利用して電源オン時に、メデイアの蓋が開けられないように、構造的にロックする手段を提供するものである。それにより上記チャタの問題はなくなり、また、コストアップも最低限に押えることができる。
【００１１】
【課題を解決するための手段】
本発明は、電源スイッチのオン・オフに応じて記録メデイア保持部の蓋の開閉をロック・アンロックする位置に、電源スイッチのオン・オフ操作部を配設したことを特徴とする記録メデイア保護機構である。
【００１２】
本発明によれば、電源スイッチが切れているときのみ記録メディアを引抜くことが可能となる。従って、電源オンの状態で記録メディアを引抜くことはなく、このような原因による記録メディアの破損を生じることが全くない。
【００１３】
【発明の実施の形態】
以下図面を参照して本発明の実施の形態を説明する。
【００１４】
図１〜３は実施例を説明するカメラの斜視図である。
【００１５】
このカメラ１０はレンズ１１、レリーズボタン１２、可動グリップ１３を備えている。可動グリップ１３は矢印１４で示すように移動する。可動グリップ１３が図１の状態にあるとき、可動グリップ１３は電源スイッチをオンさせ、記録メディア収納部の蓋２０が開かないように保持している。
【００１６】
図２は可動グリップ１３が矢印１５で示すように移動し、カメラが不使用状態になっている状態を示している。このとき、図示しない電源スイッチはオフとなっていると共に、記録メディア収納部の蓋２０が矢印２１方向へ動くことができる状態になっている。
【００１７】
図３は蓋２０が開放しており、記録メディア３０を矢印３１で示すように記録メディア装入部３２に挿脱可能になっている。
【００１８】
図４は蓋２０の動作を示すもので、蓋２０の外面を示している。蓋２０は図４（ａ）に示すようにカメラ１０に取付けられている状態から矢印２２で示す方向に引出し、図４（ｂ）に示す状態になると、図３に示すように、蓋２０を固定しているロック部２３と係合部２２とが外れ、蓋２０は回動可能になる。図３に示すように蓋２０を開にすると、記録メディア３０の収納部３２を開口させることができる。
【００１９】
可動グリップ１３を撮影位置に移動させたとき、電源オンとなると共に、記録メディア収納部の蓋２０は開くことができない。また、可動グリップ１３を図２、３の状態に不使用位置に移動させたとき、電源は必ずオフとなっており、記録メディア３０の挿脱を行っても記録メディアの記録を破損させることはない。
【００２０】
図５は別の実施例を示すもので、図１〜３における可動グリップではなく、軸４１を中心として揺動する揺動スイッチ４０を電源スイッチとし、矢印４２方向に揺動させたとき電源オンとなると共に記録メディア蓋２０を図６に示すようにロックする。
【００２１】
図７は、また、別の実施例であって、電源スイッチ５０を矢印５１で示すようにスライドさせ、そのスライド動作をピン５２、上下動カム５３を介してピン５４を蓋２０の孔２２に係止させるようにした例である。
【００２２】
図５、図７の実施例においても、電源スイッチをオンにしたとき記録メディア収納部の蓋２０を開くことができないので、電源オン状態で記録メディアの挿脱によるトラブルを生じない。
【００２３】
本発明は、電源オン状態で蓋開閉を構造的に防止し、部品点数増加等によるコストアップを生ずることなく、所期の目的を確実に達成することができる。
【００２４】
【発明の効果】
本発明によれば、電源スイッチが可動するデジタルカメラにおいて、スイッチオン状態で構造的に記録メディア収納部の蓋が開くのを防止することにより、検出スイッチ追加等のコストアップを生ずることなく、信頼性が極めて高いメデイア保護機構を提供することができる。
【図面の簡単な説明】
【図１】実施例のカメラの斜視図である。
【図２】実施例のカメラの斜視図である。
【図３】実施例のカメラの斜視図である。
【図４】メディア保持部の蓋の開閉の説明図である。
【図５】別の実施例の模式的説明図である。
【図６】図５の動作説明図である。
【図７】さらに別の実施例の模式的説明図である。
【符号の説明】
１０    カメラ
１１    レンズ
１２    レリーズボタン
１３    可動グリップ
１４、２１、２２、３１、４２、５１    矢印
２０    蓋
２２    係合部
２２    孔
２３    ロック部
３０    記録メディア
３２    収納部
４０    揺動スイッチ
４１    軸
５０    電源スイッチ
５２、５４    ピン
５３    上下動カム
【図１】
2004234487.tif 000003
【図２】
2004234487.tif 000004
【図３】
2004234487.tif 000005
【図４】
2004234487.tif 000006
【図５】
2004234487.tif 000007
【図６】
2004234487.tif 000008
【図７】
2004234487.tif 000009